(57)【要約】【課題】データ入力を煩雑なキー操作を行うことなく片手で簡単に入力できる携帯端末を提供する。【解決手段】筐体の裏面に二次元座標の任意の点を選択する背面入力部１３を備える。【選択図】　図２
2004032548.tif 000002
【特許請求の範囲】
【請求項１】
筐体の裏面に二次元座標の任意の点を選択する入力手段を備えることを特徴とする携帯端末。
【請求項２】
カーソル操作又は各種機能選択操作を前記入力手段より行うことを特徴とする請求項１に記載の携帯端末。
【請求項３】
表示画面に表示されたキーボードの操作を前記入力手段により行うことを特徴とする請求項１に記載の携帯端末。
【発明の詳細な説明】
【０００１】
【発明の属する技術分野】
本発明は、携帯端末に関する。
【０００２】
【従来の技術】
携帯電話機やＰＤＡ（Ｐｅｒｓｏｎａｌ　Ｄｉｇｉｔａｌ　Ａｓｓｉｓｔａｎｔｓ：個人用情報機器）などの携帯端末においては、携帯性重視のため小型化、軽量化が進んでいる。このため、装置自体に設置する入力装置などは簡素化され、１つのボタンに複数の機能を持たせている。
【０００３】
【発明が解決しようとする課題】
しかし、このような端末装置においては、入力する文字を選択するのに、複数回キーを押下しなければならず、キー操作が煩雑となりデータ入力に時間がかかっていた。
また、パーソナルコンピュータと同様のキー配列を携帯端末に設けたものも提案され、実現に至っている。しかしながら、小さな領域に多数のキーを配置させなければならないため、キー自体やキーピッチが小さくなり、非常に取り扱いにくいという欠点があった。
また、キーボードを表示部に表示させ、付属のペンによりキーを選択して入力操作を行う端末装置も実現に至っているが、この場合、一方の手で装置を指示し、もう一方の手でペンを操作しなければならないため、両手が使用できるような状況下でなければデータ入力が困難であった。
【０００４】
本発明はこのような事情に鑑みてなされたもので、データ入力を煩雑なキー操作を行うことなく片手で簡単に入力できる携帯端末を提供することを目的とする。
【０００５】
【課題を解決するための手段】
上記目的を達成するために、本発明は、筐体の裏面に二次元座標の任意の点を選択する入力手段を備えることを特徴とする携帯端末を提供する。
なお、上記入力手段としては、一般的なポインティングデバイス、例えば、タッチパッド、トラックボール、タブレット、方向指示ボタン、ジョイスティックなどが挙げられる。
【０００６】
また、上記記載の携帯端末において、カーソル操作又は各種機能選択操作を前記入力手段より行うことを特徴とする。
【０００７】
また、上記記載の携帯端末において、表示画面に表示されたキーボードの操作を前記入力手段により行うことを特徴とする。
【０００８】
なお、本発明の携帯端末としては、いわゆるＣＤＭＡ（符号分割多重接続）方式やＰＤＣ（Ｐｅｒｓｏｎａｌ　Ｄｉｇｉｔａｌ　Ｃｅｌｌｕｌａｒ　Ｓｙｓｔｅｍ）方式などの携帯電話機の他、ＰＤＡ（Ｐｅｒｓｏｎａｌ　Ｄｉｇｉｔａｌ　Ａｓｓｉｓｔａｎｔｓ：個人用情報機器）と称される携帯型の端末も含むものとする。また、ＰＤＡの場合、通信手段を内蔵していてもよく、外部から通信手段を接続するものであっても良い。
【０００９】
【発明の実施の形態】
以下、図面を参照し、本発明の一実施形態について説明する。
図１は本発明の一実施形態に係る携帯端末の前面図（正面図）であり、図２は、同実施形態に係る携帯端末の背面図である。
図１及び図２に示すように、携帯端末は、前面に表示部１１及び前面入力部１２を備え、背面に背面入力部１３を備えている。
上記前面入力部１２は、各種ファンクションキー、方向指示ボタンなどからなり、主に親指によって操作される。また、背面入力部１３は、表示画面上の二次元座標の任意の点を選択する方向指示ボタンであり、親指以外の指によって操作される。
【００１０】
次に、上記構成からなる携帯端末において、スケジュールを登録する場合について説明する。
まず、ユーザは、前面入力部１２の機能キーを操作することにより、スケジュール登録モードに切り替える。
係る操作が行われることにより、表示部１１には、図３に示すように、カレンダー画面が表示される。
ユーザは、この画面において、スケジュールを登録する日付を選択する。ここで、画面には、前面入力部１２によって選択可能な日付と、背面入力部１３によって選択可能な日付とに分かれている。従って、ユーザは選択したい日付が属している入力部を操作することにより、日付を選択する。
【００１１】
具体的には、６月２１日を選択したい場合には、２１日は、背面操作、即ち背面入力部１３の操作下にあるので、ユーザは背面入力部１３の各種方向ボタンを所定回数押下することにより、画面に表示されているカーソルＣを６月２１日に移動させる。そして、２１日にカーソルＣを合わせた状態で決定ボタンを押下すると、２１日が確定され、表示部１１の画面が図４に示す内容登録の画面に遷移する。
【００１２】
この内容登録の画面では、即ち、文字入力を行う必要がある画面においては、画面上にキーボードが表示される。ここでは、キーボードの各キーに対応して平仮名が１つづつ割り当てられている。このキーボードは、背面入力部１３の操作下にあるため、ユーザは背面入力部１３の各方向ボタンを数回押下することにより、入力したい文字のキーにカーソルＣを移動させ、確定ボタンを押下することにより、文字を入力する。
【００１３】
これにより、文字編集の下方にユーザによって確定されたひらがなが表示される。ここで、ひらがなを漢字に変換したい場合には、例えば、前面入力部１２の方向指示ボタンの下方キーを押下することにより、漢字変換を行う。これにより、対応する漢字が画面上に表示され、所望の漢字が現れた場合に前面入力部１２の決定ボタンを押下することにより、漢字を確定する。
【００１４】
このように、本実施形態に係る携帯端末によれば、親指以外の指によって背面入力部１３を操作してかな入力を行い、また、親指によって前面入力部１２を操作して漢字変換、ならびに確定を行うので、指のポジションを変えることなく「かな入力→漢字変換→確定」の一連の入力作業を行うことができ、入力スピードを向上させることができる。
【００１５】
なお、図４では、全平仮名に対応するキーを表示していない。即ち、表示部１１には、各行において３文字目までしか表示されていないが、背面入力部１３の下方ボタンを数回押下することにより、画面がスクロールし、４文字以降の文字が表示部１１に表示されることとなる。
なお、このようなキーボードの表示態様、また、キー配列については、一例であり、任意に変更可能である。
例えば、パーソナルコンピュータと同様のキー配列でアルファベットを表示させ、ローマ字入力を可能としても良い。
【００１６】
また、ひらがなだけでなく、数字やアルファベットを入力したい場合には、前面入力部１２の機能ボタンを押下することにより、入力モードを切り替えることによって実現可能である。
【００１７】
以上、説明してきたように、本実施形態に係る携帯端末によれば、筐体の前面だけでなく、背面に背面入力部１３を備える。
ことにより、前面入力部を操作して選択する機能と、背面入力部１３を操作して選択する機能とに分けることにより、１つの入力部によって選択する機能の数を減らすことができるので、各入力部の操作回数を減らすことができる。
例えば、図３に示したスケジュールの日付選択においては、前面入力部１２を操作して選択する日付は、日曜日から水曜日の日付を前面入力部１２の選択下、また、木曜日から土曜日の日付を背面入力部１３の操作下とするので、一つの入力部で選択する日付の数を減らすことができる。
【００１８】
また、本実施形態に係る携帯端末によれば、表示部１１に表示された所望の文字に対応するキーを背面入力部１３によって選択することにより、煩雑なキー操作を行うことなく、また、両手を使用することなく、簡単にデータ入力を行うことができる。
【００１９】
以上、この発明の実施形態を図面を参照して詳述してきたが、具体的な構成はこの実施形態に限られるものではなく、この発明の要旨を逸脱しない範囲の設計等も含まれる。
【００２０】
【発明の効果】
以上説明したように、本発明の携帯端末によれば、筐体の背面に入力手段を備えることにより、煩雑な操作を行うことなく、且つ、片手でデータ入力を簡単に行うことができる。
【図面の簡単な説明】
【図１】本発明の一実施形態に係る携帯端末の前面図である。
【図２】同実施形態に係る携帯端末の背面図である。
【図３】スケジュール登録のモードにおいて、日付を選択する場合の表示画面の一例を示した図である。
【図４】スケジュール登録において、本文を入力する場合の表示画面の一例を示した図である。
【符号の説明】
１１　表示部
１２　前面入力部
１３　背面入力部（入力手段）
【図１】
2004032548.tif 000003
【図２】
2004032548.tif 000004
【図３】
2004032548.tif 000005
【図４】
2004032548.tif 000006